(57)【要約】【課題】容易に且つ円滑に携帯用情報機器を所望の起立角度に設定することができるスタンド装置及びスタンド装置を備えたスタンド付き携帯用情報機器を提供する。【解決手段】スタンド装置１０は、携帯用情報機器１２の筐体１４の背面１４ａ側に設けられるガイドレール２４と、一端部２０が筐体１４に対して折曲可能に装着される一方、一端部２０側とは反対側の他端部２１に設けられたスライド部材２２がガイドレール２４に対してスライド可能に係合されると共に、一端部２０と他端部２１との間にガイドレール２４の延在方向に交差する方向の折り目１８ｃが形成されることで、スライド部材２２をガイドレール２４に沿ってスライドさせた場合に折り目１８ｃで折れ曲がって筐体１４の背面１４ａから接離するスタンド板１８を備える。【選択図】図１
2018029277.tif 000002
【特許請求の範囲】
【請求項１】
携帯用情報機器を起立姿勢に保持可能なスタンド装置であって、
前記携帯用情報機器の筐体の背面側に設けられるガイドレールと、
一端部が前記筐体に対して折曲可能に装着される一方、前記一端部側とは反対側の他端部に設けられたスライド部材が前記ガイドレールに対してスライド可能に係合されると共に、前記一端部と前記他端部との間に前記ガイドレールの延在方向に交差する方向の折り目が形成されることで、前記スライド部材を前記ガイドレールに沿ってスライドさせた場合に前記折り目で折れ曲がって前記筐体の背面から接離するスタンド板と、
を備えることを特徴とするスタンド装置。
【請求項２】
請求項１記載のスタンド装置において、
前記ガイドレールの長手方向で複数位置には、前記スライド部材を所定のスライド位置で位置決め係止可能な係止部が設けられていることを特徴とするスタンド装置。
【請求項３】
請求項１又は２記載のスタンド装置において、
前記スライド部材が前記スタンド板の他端部側に位置する前記ガイドレールの終端に配置された場合に、前記スタンド板は前記筐体の背面に沿った平面形状となることを特徴とするスタンド装置。
【請求項４】
請求項３記載のスタンド装置において、
前記ガイドレールの前記終端には、前記スライド部材を保持可能な保持部が設けられていることを特徴とするスタンド装置。
【請求項５】
請求項１〜４のいずれか１項に記載のスタンド装置において、
前記ガイドレールは、前記筐体の背面側に設けられた長孔と、該長孔の内部に設けられた前記スライド部材が摺動するレール部とを有し、
前記スライド部材は、前記長孔を挿通する軸部と、前記レール部と摺動可能な状態で前記長孔の縁部に摺動可能に係合した摺動片とを有することを特徴とするスタンド装置。
【請求項６】
請求項１〜５のいずれか１項に記載のスタンド装置において、
前記携帯用情報機器の筐体の背面に着脱可能な装着板を有し、
前記ガイドレールが前記装着板に設けられ、前記スタンド板の前記一端部が前記装着板の一縁部に取り付けられていることを特徴とするスタンド装置。
【請求項７】
請求項６記載のスタンド装置と、前記携帯用情報機器とを備えることを特徴とするスタンド付き携帯用情報機器。
【請求項８】
請求項１〜５のいずれか１項に記載のスタンド装置と、前記携帯用情報機器とを備え、
前記ガイドレールが前記携帯用情報機器の筐体の背面に設けられ、前記スタンド板の前記一端部が前記筐体の一縁部に取り付けられていることを特徴とするスタンド付き携帯用情報機器。
【請求項９】
請求項８記載のスタンド付き携帯用情報機器において、
前記携帯用情報機器の筐体の背面には、前記ガイドレールの延在方向に沿う方向の凹部及び凸部が前記ガイドレールの延在方向と直交する方向に複数並んで設けられており、
前記ガイドレールは、所定の前記凹部に沿って設けられていることを特徴とするスタンド付き携帯用情報機器。
【発明の詳細な説明】
【技術分野】
【０００１】
本発明は、携帯用情報機器を起立姿勢に保持可能なスタンド装置及びスタンド装置を備えたスタンド付き携帯用情報機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。通常、タブレット型ＰＣは、手で把持した状態で操作する場合と机上等に置いた状態で操作する場合とがあり、机上等に置いた状態で操作する場合にはスタンドを利用して立てた起立姿勢で使用されることがある。
【０００３】
例えば特許文献１には、筐体の背面にヒンジを介して回動可能に設けられたスタンドを有する携帯用情報機器が開示されている。特許文献２には、携帯用情報機器を覆うカバーを折り返すことでスタンドとして利用可能な構成が開示されている。
【先行技術文献】
【特許文献】
【０００４】
【特許文献１】特開２００９−１５８６６９号公報
【特許文献２】特開２０１５−５０５５４号公報
【発明の概要】
【発明が解決しようとする課題】
【０００５】
上記特許文献１記載の構成では、スタンドを所望の角度位置で確実に保持するため、ある程度大きなトルクを持ったヒンジを使用する必要がある。このため、例えば携帯用情報機器の背面に沿って収納された状態にあるスタンドを使用する際には、使用者がスタンドの端部に指先や爪を引っ掛け、ヒンジに設定されたトルクよりも大きな力で引き起こす必要がある。このため、例えば力の弱い使用者や爪の短い使用者の場合はスタンドを容易に且つ円滑に起こすことができない可能性がある。
【０００６】
上記特許文献２の構成では、携帯用情報機器を覆うカバーを複雑に折り返してスタンドを構成する必要がある。このため、この構成ではスタンドの使用に習熟を要し、起立角度の調整も分かり難い。
【０００７】
本発明は、上記従来技術の課題を考慮してなされたものであり、容易に且つ円滑に携帯用情報機器を所望の起立角度に設定することができるスタンド装置及びスタンド装置を備えたスタンド付き携帯用情報機器を提供することを目的とする。
【課題を解決するための手段】
【０００８】
本発明に係るスタンド装置は、携帯用情報機器を起立姿勢に保持可能なスタンド装置であって、前記携帯用情報機器の筐体の背面側に設けられるガイドレールと、一端部が前記筐体に対して折曲可能に装着される一方、前記一端部側とは反対側の他端部に設けられたスライド部材が前記ガイドレールに対してスライド可能に係合されると共に、前記一端部と前記他端部との間に前記ガイドレールの延在方向に交差する方向の折り目が形成されることで、前記スライド部材を前記ガイドレールに沿ってスライドさせた場合に前記折り目で折れ曲がって前記筐体の背面から接離するスタンド板とを備えることを特徴とする。
【０００９】
このような構成によれば、スタンド板を折り目を介して折り曲げつつ、スライド部材をガイドレールに沿ってスライドさせて所定位置に配置することで携帯用情報機器を所定の角度姿勢で起立保持することができる。このため、スタンド板の折り目や筐体に対するヒンジとなる部分に大きなトルクを付与しておく必要がない。またスライド部材のスライドによるスタンド板の折曲角度の変化が容易に把握できる。その結果、スタンド装置は、容易に且つ円滑に携帯用情報機器を所望の起立角度に設定することが可能となる。
【００１０】
前記ガイドレールの長手方向で複数位置には、前記スライド部材を所定のスライド位置で位置決め係止可能な係止部が設けられた構成であってもよい。そうすると、スタンド板を複数の角度位置で折り曲げた状態に維持することができ、携帯用情報機器の起立角度を複数角度に容易に調整できる。
【００１１】
前記スライド部材が前記スタンド板の他端部側に位置する前記ガイドレールの終端に配置された場合に、前記スタンド板は前記筐体の背面に沿った平面形状となる構成であってもよい。そうすると、スタンド装置が携帯用情報機器の背面と一体化したような状態となる。このため、スタンド装置を使用しない場合、使用者はスタンド装置が邪魔になることなく携帯用情報機器を例えば手で容易に把持して使用することができる。
【００１２】
前記ガイドレールの前記終端には、前記スライド部材を保持可能な保持部が設けられた構成であってもよい。そうすると、スライド部材を保持部に保持させておくことで、収納位置にあるスタンド板ががたつきや浮き上がりを生じることを防止できる。
【００１３】
前記ガイドレールは、前記筐体の背面側に設けられた長孔と、該長孔の内部に設けられた前記スライド部材が摺動するレール部とを有し、前記スライド部材は、前記長孔を挿通する軸部と、前記レール部と摺動可能な状態で前記長孔の縁部に摺動可能に係合した摺動片とを有する構成であってもよい。そうすると、簡素な構成でスタンド装置を構成できる。
【００１４】
前記携帯用情報機器の筐体の背面に着脱可能な装着板を有し、前記ガイドレールが前記装着板に設けられ、前記スタンド板の前記一端部が前記装着板の一縁部に取り付けられた構成であってもよい。そうすると、スタンド装置に携帯用情報機器を着脱可能に構成できるため、スタンド装置が不要な場合には携帯用情報機器から取り外すことができ、利便性が向上する。
【００１５】
本発明に係るスタンド付き携帯用情報機器は、上記構成のスタンド装置と、前記携帯用情報機器とを備えることを特徴とする。
【００１６】
また、本発明に係るスタンド付き携帯用情報機器は、上記構成のスタンド装置と、前記携帯用情報機器とを備え、前記ガイドレールが前記携帯用情報機器の筐体の背面に設けられ、前記スタンド板の前記一端部が前記筐体の一縁部に取り付けられていることを特徴とする。このような構成によれば、スタンド装置が携帯用情報機器に一体に設けられるため、機器全体としての小型化、薄型化及び低コスト化を図ることができる。
【００１７】
前記携帯用情報機器の筐体の背面には、前記ガイドレールの延在方向に沿う方向の凹部及び凸部が前記ガイドレールの延在方向と直交する方向に複数並んで設けられており、前記ガイドレールは、所定の前記凹部に沿って設けられた構成であってもよい。そうすると、ガイドレールを複数の凹部及び凸部の間に紛れさせ、筐体の背面で目立たなくすることができる。
【発明の効果】
【００１８】
本発明によれば、容易に且つ円滑に携帯用情報機器を所望の起立角度に設定することが可能となる。
【図面の簡単な説明】
【００１９】
【図１】図１は、本発明の一実施形態に係るスタンド装置を備えた携帯用情報機器を模式的に示した斜視図である。
【図２Ａ】図２Ａは、スタンド装置を収納位置とした状態での携帯用情報機器の縦断面図である。
【図２Ｂ】図２Ｂは、スタンド装置を所定角度の起立位置とした状態での携帯用情報機器の縦断面図である。
【図２Ｃ】図２Ｃは、スタンド装置を別の所定角度の起立位置とした状態での携帯用情報機器の縦断面図である。
【図２Ｄ】図２Ｄは、スタンド装置をさらに別の所定角度の起立位置とした状態での携帯用情報機器の縦断面図である。
【図３】図３は、携帯用情報機器の要部を拡大した横断面図である。
【図４】図４は、変形例に係るガイドレールを備えた携帯用情報機器の要部を拡大した横断面図である。
【図５】図５は、変形例に係る筐体を備えた携帯用情報機器の要部を拡大した横断面図である。
【図６】図６は、変形例に係るスタンド装置を模式的に示した斜視図である。
【発明を実施するための形態】
【００２０】
以下、本発明に係るスタンド装置について、この装置を備えた携帯用情報機器を例示して好適な実施の形態を挙げ、添付の図面を参照しながら詳細に説明する。
【００２１】
図１は、本発明の一実施形態に係るスタンド装置１０を備えた携帯用情報機器１２を模式的に示した斜視図であり、携帯用情報機器１２を背面側から見た図である。
【００２２】
図１に示すように、スタンド装置１０は携帯用情報機器１２の筐体１４の背面１４ａ側に設けられている。スタンド装置１０は、携帯用情報機器１２を机の上等で起立姿勢に保持するための装置である。
【００２３】
携帯用情報機器１２は、筐体１４の表面１４ｂにタッチパネル式の液晶表示部であるディスプレイ１６を備えたタブレット型ＰＣである。筐体１４は、薄い箱状に形成された樹脂製のカバー部材でディスプレイ１６の四周縁部及び背面側を囲んだ構成である。筐体１４の内部には、図示しない基板、演算装置及びメモリ等の各種電子部品が収納されている。携帯用情報機器１２はタブレット型ＰＣ以外、例えばスマートフォン又は電子手帳等の各種電子機器でもよい。
【００２４】
スタンド装置１０は、携帯用情報機器１２の筐体１４の背面１４ａ側で折曲可能に設けられたスタンド板１８を備える。
【００２５】
スタンド板１８は、携帯用情報機器１２の上下方向に並ぶ第１板１８ａ及び第２板１８ｂを備える。第１板１８ａと第２板１８ｂとの間は、折り目１８ｃによって互いに折曲可能に連接されている。スタンド板１８は、第１板１８ａから第２板１８ｂまでが一体的に延在形成されている。スタンド板１８の材質は、例えばガラスエポキシ樹脂やポリカーボネイト、カーボン等からなる薄い平板を第１板１８ａ及び第２板１８ｂの芯材とし、その周囲を皮革や人工皮革、布等で囲繞したものを用いている。折り目１８ｃは、芯材を設けずに皮革等のみで形成されることで、折曲可能なフレキシブルヒンジを構成する。折り目１８ｃは第１板１８ａから第２板１８ｂに向かう方向（携帯用情報機器１２の上下方向）に交差（本実施形態では直交）する方向でスタンド板１８の幅方向全長に延在している。
【００２６】
スタンド板１８は、第１板１８ａの折り目１８ｃ側とは反対側の一端部２０が筐体１４の背面１４ａの底部に取り付けられている。一端部２０は、折り目１８ｃと同様なフレキシブルヒンジで構成されている。
【００２７】
スタンド板１８は、第２板１８ｂの折り目１８ｃ側とは反対側の他端部２１が筐体１４の背面１４ａに上下方向にスライド可能に連結されている。他端部２１にはスライド部材２２が設けられている。スライド部材２２は、第２板１８ｂの他端部２１における一側部側（本実施形態では図１で左側）に寄った位置に設けられている。スライド部材２２は、筐体１４の背面１４ａに設けられたガイドレール２４に対して摺動可能に係合している。ガイドレール２４は、携帯用情報機器１２の上下方向、つまりスタンド板１８の一端部２０から他端部２１に向かう方向に向かって延在している。
【００２８】
図２Ａは、スタンド装置１０を収納位置とした状態での携帯用情報機器１２の縦断面図である。図２Ｂ〜図２Ｃは、図２Ａに示すスタンド装置１０をそれぞれ所定角度の起立位置とした状態での携帯用情報機器１２の縦断面図である。図３は、携帯用情報機器１２の要部を拡大した横断面図であり、スライド部材２２とガイドレール２４との関係を示している。
【００２９】
図１及び図２Ａ〜図２Ｄに示すように、ガイドレール２４は、筐体１４の背面１４ａに設けられた長孔２６と、長孔２６の内部に設けられたレール部２８とを有する。
【００３０】
長孔２６は、背面１４ａに面した開口部よりも奥部が幅広に構成された断面略Ｔ字状の穴部である（図３参照）。
【００３１】
レール部２８は、樹脂や金属で形成された硬質の帯板状部材であり、長孔２６の幅広な底部に固着されている。レール部２８は、その表面がスライド部材２２の摺動面となる。レール部２８は、その長手方向で複数位置（図２Ａでは３か所）に係止部２８ａ〜２８ｃが設けられている。係止部２８ａ〜２８ｃは、スライド部材２２を所定のスライド位置で位置決め係止するための凹部である。係止部２８ａ〜２８ｃはいずれか１のみが設けられてもよく、４つ以上設けられてもよい。スタンド板１８の他端部２１側に位置するガイドレール２４の終端２４ａには、保持部３０が設けられている。保持部３０は、終端２４ａに位置したスライド部材２２を保持するものである。保持部３０は、例えばスライド部材２２を吸着可能な磁石やスライド部材２２を係止保持可能なラッチ機構等で構成される。
【００３２】
スライド部材２２は、長孔２６を挿通した軸部３２と、軸部３２の先端に設けられた摺動片３４とを有し、略Ｔ字状に構成されている。
【００３３】
軸部３２は、スタンド板１８（第２板１８ｂ）の他端部２１から突出するように設けられた細径なピン状部材である。軸部３２は、長孔２６の幅狭な開口部を挿通しており（図３参照）、この開口部に沿って移動可能である。
【００３４】
摺動片３４は、軸部３２の先端に直交する姿勢で固定されたピン状部材である。摺動片３４は、長孔２６の幅広な奥部内でレール部２８に沿って移動可能に配置されている。摺動片３４は、長孔２６の幅狭な開口部の縁部に係合しており、長孔２６から抜け止めされている（図３参照）。これにより、スライド部材２２はガイドレール２４に対してその長手方向に沿って移動可能な状態で係合している。
【００３５】
次に、スタンド装置１０を使用する際の動作を説明する。
【００３６】
先ず、図２Ａに示すようにスライド部材２２がガイドレール２４の終端２４ａに位置し、保持部３０に保持された状態ではスタンド装置１０が収納位置にある。この収納位置では、スタンド装置１０は第１板１８ａと第２板１８ｂが同一平面上に並んだ状態となり、スタンド板１８が筐体１４の背面１４ａに沿った平面形状となっている。その結果、スタンド装置１０が携帯用情報機器１２の背面１４ａと一体化した状態にある。このため、使用者はスタンド装置１０が邪魔になることなく携帯用情報機器１２を例えば手で容易に把持して使用することができる。また、スライド部材２２が保持部３０に保持されているため、スタンド板１８ががたつきや浮き上がりを生じることもない。
【００３７】
次に、収納位置にあるスタンド装置１０を起立位置とし、携帯用情報機器１２を起立姿勢に変化させる場合には、第２板１８ｂを背面１４ａから離間させるように持ち上げる。スライド部材２２が保持部３０の保持力から外れて離脱すると、折り目１８ｃを介してスタンド板１８が山形状に折り曲がりつつ、スライド部材２２がガイドレール２４に沿って終端２４ａ側から他端側に向かって移動する。なお、筐体１４は、収納位置にあるスタンド装置１０の折り目１８ｃの側部又は第２板１８ｂの側部に対応する位置に指掛け部３５を有してもよい（図１参照）。指掛け部３５は、筐体１４の側縁部に形成された凹部であり、この指掛け部３５に指先を入れることで収納位置にあるスタンド板１８をより円滑に持ち上げることができる。
【００３８】
例えば、図２Ｂに示すようにスライド部材２２を終端２４ａから最も近い係止部２８ａに係止させると、スタンド板１８は折り目１８ｃがやや大きな角度で折り曲げられた緩やかな山形状の起立位置となる。この起立位置では、図２Ｂに示すようにスタンド板１８の頂部となる折り目１８ｃと筐体１４の上端部とを、机等の載置面３６上に着地させることができる。そうすると、携帯用情報機器１２が載置面３６上で緩やかに起立した姿勢となる。このため、使用者は手で携帯用情報機器１２を把持することなくディスプレイ１６を視認し或いはタッチ操作を行うことができる。
【００３９】
例えば、図２Ｃに示すようにスライド部材２２を係止部２８ａから隣の係止部２８ｂに係止させると、スタンド板１８は折り目１８ｃが図２Ｂに示すよりも小さな角度で折り曲げられた山形状の起立位置となる。この起立位置では、図２Ｃに示すように第１板１８ａを載置面３６上に着地させることができる。そうすると、携帯用情報機器１２が載置面３６上で図２Ｂに示すよりも大きく起立した姿勢となる。
【００４０】
例えば、図２Ｄに示すようにスライド部材２２を係止部２８ｂから隣の係止部２８ｃに係止させると、スタンド板１８は折り目１８ｃが図２Ｃに示すよりも小さな角度で折り曲げられた急な山形状の起立位置となる。この起立位置では、図２Ｄに示すように第１板１８ａを載置面３６上に着地させることができる。そうすると、携帯用情報機器１２が載置面３６上で図２Ｃに示すよりもさらに大きく起立した姿勢となる。
【００４１】
なお、図２Ｂ〜図２Ｄに示す起立位置にあるスタンド板１８を図２Ａに示す収納位置に戻す際は、山形状のスタンド板１８を押し潰しつつ、スライド部材２２をガイドレール２４の終端２４ａまでスライドさせればよい。
【００４２】
図４は、変形例に係るガイドレール２４を備えた携帯用情報機器１２の要部を拡大した横断面図である。
【００４３】
図３では筐体１４に形成した長孔２６の内部にレール部２８を配置した構成のガイドレール２４を例示したが、図４に示すようにガイドレール２４は長孔２６とレール部２８が一体的に構成されたものであってもよい。図４に示すガイドレール２４は、樹脂や金属で形成された硬質のレール構成部材３８に長孔２６及びレール部２８を形成した構成である。レール構成部材３８は筐体１４に形成した凹部又は孔部に埋設される。
【００４４】
図５は、変形例に係る筐体１４を備えた携帯用情報機器１２の要部を拡大した横断面図である。
【００４５】
図５に示すように、筐体１４の背面１４ａには、ガイドレール２４の延在方向に沿う方向の凹部（谷部）４０及び凸部（山部）４１がガイドレール２４の延在方向と直交する方向に複数並んで設けられた構成であってもよい。すなわち、背面１４ａは、凹部４０及び凹部４１が設けられることで縦縞状のプリーツパターンで構成される。ガイドレール２４を構成する長孔２６は凹部４０に沿って設けられる。これにより、長孔２６が筐体１４の背面１４ａで目立たなくなり、携帯用情報機器１２の外観品質が向上する。また筐体１４の背面１４ａにプリーツパターンを設けることで、背面１４ａが手で持ち易くなると共に、放熱性や強度が向上する。
【００４６】
さらに、スタンド板１８の両面又は少なくとも背面１４ａ側の一面にも凹部４０及び凸部４１と相互に嵌まり合う凸部４２及び凹部４３を設けてもよい。これにより、スタンド板１８の凸部４２及び凹部４３が背面１４ａに設けた凹部４０及び凸部４１に嵌まり込み、スタンド板１８の浮きやずれが防止される。また、スタンド板１８を薄肉高強度化することができる。
【００４７】
図６は、変形例に係るスタンド装置１０Ａを模式的に示した斜視図である。
【００４８】
上記した構成例では、ガイドレール２４を携帯用情報機器１２の筐体１４に直接的に設け、スタンド板１８の一端部２０を筐体１４の一縁部に直接的に取り付けた構成を例示した。しかしながら、スタンド装置１０は、携帯用情報機器１２の筐体１４とは別体に構成されたスタンド装置１０Ａとして構成してもよい。
【００４９】
図６に示すように、スタンド装置１０Ａは、携帯用情報機器１２（の筐体１４）の背面に着脱可能な装着板４６を有する。装着板４６は、例えば図１に示す携帯用情報機器１２からスタンド装置１０を取り外したような一般的な板状の携帯用情報機器１２を着脱可能に嵌め込み可能な矩形の収納凹部４６ａを表面に備える。装着板４６は、収納凹部４６ａを備えた構成以外、例えば一枚の平板で構成されてその表面に携帯用情報機器１２を保持可能な磁石や保持バンド等を設けた構成であってもよい。装着板４６の背面にはガイドレール２４が設けられると共に、その一縁部にスタンド板１８の一端部２０が取り付けられている。これにより、スタンド装置１０Ａの場合は、装着板４６に携帯用情報機器１２が装着されることで、その背面１４ａ側にガイドレール２４やスタンド板１８が設けられ、一端部２０が装着板４６を介して筐体１４に対して折曲可能に装着される。
【００５０】
このようなスタンド装置１０Ａでは、携帯用情報機器１２を装着板４６に装着することで、図１に示す携帯用情報機器１２と一体型のスタンド装置１０と同様な機能が得られることになる。
【００５１】
以上のように、本実施形態に係るスタンド装置１０（１０Ａ）は、携帯用情報機器１２の筐体１４の背面１４ａ側に設けられるガイドレール２４と、一端部２０が筐体１４に対して折曲可能に装着される一方、一端部２０側とは反対側の他端部２１に設けられたスライド部材２２がガイドレール２４に対してスライド可能に係合されると共に、一端部２０と他端部２１との間にガイドレール２４の延在方向に交差する方向の折り目１８ｃが形成されることで、スライド部材２２をガイドレール２４に沿ってスライドさせた場合に折り目１８ｃで折れ曲がって筐体１４の背面１４ａから接離するスタンド板１８を備える。
【００５２】
このように、スタンド装置１０（１０Ａ）ではスタンド板１８を折り目１８ｃを介して折り曲げつつ、スライド部材２２をガイドレール２４に沿ってスライドさせて所定位置に配置することで携帯用情報機器１２を所定の角度姿勢で起立保持することができる。このため、スタンド板１８の折り目１８ｃや筐体１４に対するヒンジとなる部分に大きなトルクを付与しておく必要がない。またスライド部材２２のスライドによるスタンド板１８の折曲角度の変化が容易に把握できる。その結果、スタンド装置１０（１０Ａ）は、容易に且つ円滑に携帯用情報機器１２を所望の起立角度に設定することが可能となる。
【００５３】
上記した通り、ガイドレール２４は、携帯用情報機器１２の筐体１４の一側部側に寄った位置に設けられている。すなわち、携帯用情報機器１２は特にその中央付近に大きな電子部品等を収納していることが多い。そこで、ある程度の深さが必要となるガイドレール２４を筐体１４の側部に設けることで、ガイドレール２４の設置スペースを容易に確保できる。またガイドレール２４が筐体１４の側部にあることで、これに摺動するスライド部材２２も筐体１４の側部にある。このため、スタンド板１８の側部を手で把持して操作する際の操作性が向上する。
【００５４】
なお、本発明は、上記した実施形態に限定されるものではなく、本発明の主旨を逸脱しない範囲で自由に変更できることは勿論である。
【符号の説明】
【００５５】
１０，１０Ａ  スタンド装置
１２  携帯用情報機器
１４  筐体
１４ａ  背面
１４ｂ  表面
１６  ディスプレイ
１８  スタンド板
１８ａ  第１板
１８ｂ  第２板
１８ｃ  折り目
２０  一端部
２１  他端部
２２  スライド部材
２４  ガイドレール
２４ａ  終端
２６  長孔
２８  レール部
２８ａ〜２８ｃ  係止部
３０  保持部
３２  軸部
３４  摺動片
４０，４３  凹部
４１，４２  凸部
４６  装着板
【図１】
2018029277.tif 000003
【図２Ａ】
2018029277.tif 000004
【図２Ｂ】
2018029277.tif 000005
【図２Ｃ】
2018029277.tif 000006
【図２Ｄ】
2018029277.tif 000007
【図３】
2018029277.tif 000008
【図４】
2018029277.tif 000009
【図５】
2018029277.tif 000010
【図６】
2018029277.tif 000011